(57)【要約】  【課題】自然エネルギー発電装置の発電電力を正確に予測し、電力の需給調整を精度よく行う。  【解決手段】  自然エネルギー発電装置５１０が設置されている自然エネルギー発電サイト５００の気象状況を気象状況計測装置５７０で計測する。需給調整装置３００は、計測した気象状況から、自然エネルギー発電装置５１０の発電電力を予測する。そして、需要電力の予測値に対する、自然エネルギー発電装置５１０の発電電力の予測値の過不足分を求め、当該過不足分を出力制御可能発電装置６１０が設置された出力制御可能発電サイト６００に通知する。【選択図】図１
2010130762.tif 000002
【特許請求の範囲】
【請求項１】
気象状況に応じて発電出力が変動する自然エネルギー発電手段を備えた自然エネルギー発電サイトと、発電出力が制御可能である出力制御可能発電手段を備えた出力制御可能発電サイトと、需給調整装置と、を備える電力供給システムであって、
前記自然エネルギー発電サイトは、
前記自然エネルギー発電手段が設置されている場所の気象状況を計測する気象計測手段と、
前記気象計測手段の計測で得られた気象情報を前記需給調整装置に送信する送信手段と、を備え、
前記需給調整装置は、
前記自然エネルギー発電サイトからの前記気象情報と、需要家サイトからの需要電力の計測値と、を受信する受信手段と、
受信した前記需要電力の計測値から、前記需要家サイトでの所定時間後の需要電力を予測する需要電力予測手段と、
受信した前記気象情報から、前記自然エネルギー発電手段での前記所定時間後の発電電力を予測する発電電力予測手段と、
前記需要電力予測手段が予測した需要電力に対する、前記発電電力予測手段が予測した発電電力の過不足分を求める発電電力管理手段と、
前記所定時間後の過不足分を前記出力制御可能発電サイトに通知する送信手段と、を備え、
前記出力制御可能発電サイトは、
前記需給調整装置の発電電力管理手段から、前記所定時間後の過不足分を受け付ける受付手段と、
前記過不足分の電力を前記出力制御可能発電手段が前記所定時間後に発電するよう制御する発電制御手段と、を備える、
ことを特徴とする電力供給システム。
【請求項２】
請求項１に記載の電力供給システムであって、
前記自然エネルギー発電サイトは、
前記自然エネルギー発電手段の発電電力を計測する発電電力計測手段を備え、
前記自然エネルギー発電サイトの前記送信手段は、前記発電電力計測手段で計測された発電電力の計測値を前記需給調整装置に送信し、
前記需給調整装置の前記受信手段は、前記自然エネルギー発電サイトからの前記発電電力の計測値を受信し、
前記需給調整装置の前記発電電力予測手段は、前記気象情報と前記発電電力の計測値とから、前記自然エネルギー発電手段での前記所定時間後の発電電力を予測する
ことを特徴とする電力供給システム。
【請求項３】
請求項１に記載の電力供給システムであって、
前記自然エネルギー発電サイトの前記送信手段は、前記気象情報を予め決められた時間分まとめた時系列データで前記需給調整装置に送信し、
前記需給調整装置の前記受信手段は、前記自然エネルギー発電サイトからの前記気象情報と前記需要家サイトからの需要電力の計測値とを、それぞれ予め決められた時間分まとめた時系列データで受信し、
前記需給調整装置の送信手段は、所定時間後の過不足分を予め決められた時間分まとめた時系列データで前記出力制御可能発電サイトに通知する
ことを特徴とする電力供給システム。
【請求項４】
請求項２に記載の電力供給システムであって、
前記自然エネルギー発電サイトの前記送信手段は、前記気象情報と前記発電電力の計測値とを、それぞれ予め決められた時間分まとめた時系列データで前記需給調整装置に送信し、
前記需給調整装置の前記受信手段は、前記自然エネルギー発電サイトからの前記気象情報および前記発電電力の計測値と、前記需要家サイトからの需要電力の計測値とを、それぞれ予め決められた時間分まとめた時系列データで受信し、
前記需給調整装置の送信手段は、所定時間後の過不足分を予め決められた時間分まとめた時系列データで前記出力制御可能発電サイトに通知する
ことを特徴とする電力供給システム。
【請求項５】
請求項１から４のいずれか一項に記載の電力供給システムであって、
前記自然エネルギー発電サイトは、
前記自然エネルギー発電手段での発電電力を補う２次電池を備える
ことを特徴とする電力供給システム。
【請求項６】
請求項５に記載の電力供給システムであって、
前記自然エネルギー発電サイトと、前記需給調整装置と、のうち一方は、
前記２次電池の蓄電残量を把握する蓄電量把握手段を備え、
前記需給調整装置の前記発電電力管理手段は、前記蓄電量把握手段で把握された前記蓄電量または前記蓄電量に基づく蓄電量予測値が所定の閾値を下回った場合に、当該閾値と前記蓄電量または前記蓄電量予測値との差分を、前記過不足分に加えて前記出力制御可能発電サイトに通知する
ことを特徴とする電力供給システム。
【請求項７】
気象状況に応じて発電出力が変動する自然エネルギー発電手段を備えた自然エネルギー発電サイトと、発電出力が制御可能である出力制御可能発電手段を備えた出力制御可能発電サイトと、を備える電力供給システムの需給調整方法であって、
前記自然エネルギー発電サイトに、前記自然エネルギー発電手段が設置されている場所の気象状況を計測する気象計測手段を設け、
前記自然エネルギー発電サイトからの前記気象情報と、需要家サイトからの需要電力の計測値と、を受け付け、
受け付けた前記需要電力の計測値から、前記需要家サイトでの所定時間後の需要電力を予測し、
受け付けた前記気象情報から、前記自然エネルギー発電手段での前記所定時間後の発電電力を予測し、
先に予測した需要電力に対する、先に予測した発電電力の過不足分を求め、
前記所定時間後の過不足分を前記出力制御可能発電サイトに通知する
ことを特徴とする需給調整方法。
【請求項８】
請求項７に記載の需給調整方法であって、
前記自然エネルギー発電サイトに前記自然エネルギー発電手段の発電電力を計測する発電電力計測手段を設け、
前記自然エネルギー発電サイトからの前記発電電力の計測値を受け付け、
前記気象情報と前記発電電力の計測値とから、前記自然エネルギー発電手段での前記所定時間後の発電電力を予測する
ことを特徴とする需給調整方法。
【発明の詳細な説明】
【技術分野】
【０００１】
本発明は、気象状況に応じて発電出力が変動する自然エネルギー発電装置を含む電力供給システムでの需給調整を行う技術に関する。
【背景技術】
【０００２】
近年、地球温暖化の原因と考えられている二酸化炭素の排出量削減が大きな課題になっている。二酸化炭素の排出量削減の手段の一つとして、需要家に供給するための電力に対して、風力発電、太陽光発電などの自然エネルギーを利用した自然エネルギー発電装置から発電電力を導入することが盛んになってきている。
【０００３】
しかし、風力発電においては風速の強弱により発電出力は変動する。また、太陽光発電においても、雲などの動きにより日射量が変化し、発電出力は変動する。そのため、自然エネルギー発電装置を電力供給システムに組み込む場合には、気象条件を考慮して自然エネルギー発電装置の発電出力を予測し、電力の需要供給のバランスを調整することが必要である。
【０００４】
自然エネルギー発電装置の発電出力を予測し、電力の需要供給のバランスを調整する技術として、特許文献１に記載された技術がある。特許文献１には、ひまわり、アメダス、気象レーダなどの気象情報を取り込み、各種の自然エネルギー発電装置（風力発電、太陽光発電など）の発電出力を予測分析し、最も有効かつ経済的に活用することのできるように、各自然エネルギー発電装置の契約量を決定する需要供給システムが記載されている。
【０００５】
【特許文献１】特開２００２−２７１９８２号公報
【発明の開示】
【発明が解決しようとする課題】
【０００６】
特許文献１の需要供給システムでは、自然エネルギー発電装置の発電電力の予測を、ひまわり、アメダス、気象レーダなどから読み込んだ気象情報を用いて行っている。しかし、気象情報に含まれるデータは、数キロメートル四方ごとのデータであるため、自然エネルギー発電装置が設置されている箇所での実測値データとの誤差は大きい。その結果、自然エネルギー発電装置が組み込まれた電力供給システムにおいて、電力の需給のバランスを精度よく調節することができないという問題が生じる。
【０００７】
本発明は、自然エネルギー発電装置の発電電力の予測を正確に行うことができ、電力の需給調整を精度よく行うことができる技術を提供することを目的とする。
【課題を解決するための手段】
【０００８】
本発明は、気象状況に応じて発電出力が変動する自然エネルギー発電手段を備えた自然エネルギー発電サイトと、発電出力が制御可能である出力制御可能発電手段を備えた出力制御可能発電サイトと、需給調整装置と、を備える電力供給システムであって、
自然エネルギー発電サイトは、
自然エネルギー発電手段が設置されている場所の気象状況を計測する気象計測手段と、
気象計測手段の計測で得られた気象情報を需給調整装置に送信する送信手段と、を備え、
需給調整装置は、
自然エネルギー発電サイトからの気象情報と、需要家サイトからの需要電力の計測値と、を受信する受信手段と、
受信した需要電力の計測値から、需要家サイトでの所定時間後の需要電力を予測する需要電力予測手段と、
受信した気象情報から、自然エネルギー発電手段での所定時間後の発電電力を予測する発電電力予測手段と、
需要電力予測手段が予測した需要電力に対する、発電電力予測手段が予測した発電電力の過不足分を求める発電電力管理手段と、
所定時間後の過不足分を出力制御可能発電サイトに通知する送信手段と、を備え、
出力制御可能発電サイトは、
需給調整装置の発電電力管理手段から、所定時間後の過不足分を受け付ける受付手段と、
過不足分の電力を出力制御可能発電手段が所定時間後に発電するよう制御する発電制御手段と、を備える、
ことを特徴とする。
【０００９】
よって、本発明では、自然エネルギー発電サイトにおける気象状況を測定することで、自然エネルギー発電装置の発電電力の予測を正確に行うことができ、電力の需給調整を精度よく行うことができる。
【発明を実施するための最良の形態】
【００１０】
以下、本発明の実施形態について図面を参照して説明する。
【００１１】
「第１実施形態」
まず、本発明の第１実施形態について説明する。図１に第１実施形態の電力供給システムの全体構成図を示す。電力供給システムは、気象状況に応じて発電出力が変動する自然エネルギー発電装置５１０を備えた自然エネルギー発電サイト５００と、発電出力が制御可能である出力制御可能発電装置６１０を備えた出力制御可能発電サイト６００と、需給調整装置３００と、を有する。
【００１２】
自然エネルギー発電サイト５００と、出力制御可能発電サイト６００と、需要家サイト４００と、は送配電線１００で接続される。各サイト間の電力の入出力は送配電線１００を介して行われる。
【００１３】
また、自然エネルギー発電サイト５００と、出力制御可能発電サイト６００と、需給調整装置３００と、需要家サイト４００と、は通信線２００で接続される。各サイト間の情報の入出力は通信線２００を介して行われる。
【００１４】
[自然エネルギー発電サイト５００]
自然エネルギー発電サイト５００は、自然エネルギーが風力である自然エネルギー発電装置５１０と、自然エネルギー発電装置５１０で発電した電力を所定の交流電力（例えば、需要家サイト３００で使用される交流電力）に変換する変換装置５２０と、自然エネルギー発電装置５１０が発電した電力を補う２次電池５５０と、２次電池５５０のから出力を所定の電力に変換する電池出力変換装置５６０と、当該自然エネルギー発電サイト５００における気象状況（具体的には、気温、湿度、気圧、風速）を計測する気象状況計測装置５７０と、自然エネルギー発電装置５１０からの電力と２次電池５５０からの電力との合成電力を計測する電力計測装置５８０と、監視制御端末８５０と、を有する。
【００１５】
変換装置５２０は、自然エネルギー発電装置５１０で発電した電力を変換する機能の他に、自然エネルギー発電装置５１０が発電した発電電力を計測し、監視制御端末８５０に渡す機能を有する。
【００１６】
電池出力変換装置５６０は、２次電池５５０からの出力を変換する機能の他に、２次電池５５０に対する電力の入出力量を計測する機能と、２次電池５５０に対する電力の入出力量の積算値から２次電池の蓄電量を算出する機能と、これらの値を監視制御端末８５０に渡す機能を有する。
【００１７】
よって、電池出力変換装置５６０は、ハードウエアシステム構成は図示しないが、２次電池５５０への接続端子およびケーブルと、電圧計と、電流計と、制御装置と、インタフェースと、を有する。
【００１８】
気象状況計測装置５７０は、自然エネルギー発電サイト５００における気象状況を計測する機能の他に、計測で得られた気象情報（具体的には、気温、湿度、気圧、風速）を、監視制御端末８５０に渡す機能を有する。
【００１９】
よって、気象状況計測装置５７０は、ハードウエアシステム構成は図示しないが、気温計と、湿度計と、気圧計と、風速計と、制御装置と、インタフェースと、を有する。
【００２０】
自然エネルギー発電サイト５００の監視制御端末８５０のハードウエア構成図を図２に示す。この監視制御端末８５０は、制御装置８５１と、記憶装置８５２と、サイト間インタフェース８５３と、入力装置８５４と、表示装置８５５と、サイト内インタフェース８５６と、を有する。
【００２１】
サイト間インタフェース８５３は、通信線２００を介して、需給調整装置３００との情報通信を行う。
【００２２】
サイト内インタフェース８５６は、通信線２００を介して、変換装置５２０と、電池出力変換装置５６０と、気象状況計測装置５７０と、電力計測装置５８０と、の情報通信を行う。
【００２３】
制御装置８５１は、変換装置５２０から自然エネルギー発電装置５１０の発電電力の計測値を受信し、これを一定時間保存している。また、制御装置８５１は、需給調整装置３００から「発電電力計測値送信指示」を、サイト間インタフェース８５３を介して受信すると、予め決められた時間分（例えば、１０分間分）の自然エネルギー発電装置５１０の発電電力の計測値の時系列データを作成する。制御装置８５１は、作成した自然エネルギー発電装置５１０の発電電力の計測値の時系列データを、サイト間インタフェース８５３を介して、需給調整装置３００に送信する。
【００２４】
制御装置８５１は、電池出力変換装置５６０から２次電池５５０に対する電力の入出量の計測値、および、２次電池５５０の蓄電量の計測値を受信し、これを一定時間保存している。また、制御装置８５１は、需給調整装置３００から「２次電池入出力量・蓄電量計測値送信指示」を、サイト間インタフェース８５３を介して受信すると、予め決められた時間分（例えば、１０分間分）の、２次電池５５０に対する電力の入出力の計測値の時系列データ、および、２次電池５５０の蓄電量の計測値の時系列データを作成する。制御装置８５１は、作成した２次電池５５０に対する電力の入出力の計測値の時系列データ、および、２次電池５５０の蓄電量の計測値の時系列データを、需給調整装置３００にサイト間インタフェース８５３を介して送信する。
【００２５】
制御装置８５１は、電力計測装置５８０から自然エネルギー発電サイト５００における合成出力の計測値を受信し、これを一定期間保存している。また、制御装置８５１は、需給調整装置３００から「合成出力送信指示」を、サイト間インタフェース８５３を介して受信すると、予め決められた時間分（例えば、１０分間分）の合成出力の計測値の時系列データを作成する。制御装置８５１は、作成した合成出力の計測値の時系列データを、サイト間インタフェース８５３を介して、需給調整装置３００に送信する。
【００２６】
制御装置８５１は、気象状況計測装置５７０から自然エネルギー発電サイト５００における気象情報を受信し、これを一定期間保存している。また、制御装置８５１は、需給調整装置３００から「気象情報送信指示」を、サイト間インタフェース８５３を介して受信すると、予め決められた時間分（例えば、１０分間分）の気象情報の時系列データを作成する。制御装置８５１は、作成した気象情報の時系列データを、サイト間インタフェース８５３を介して、需給調整装置３００に送信する。
【００２７】
[出力制御可能発電サイト６００]
出力制御可能発電サイト６００は、例えば火力発電装置のような発電出力の制御が可能な出力制御可能発電装置６１０と、出力制御可能発電装置６１０の発電出力を制御する発電制御装置６２０と、出力制御可能発電装置６１０が発電する発電電力を計測する電力計測装置６８０と、監視制御端末８６０と、を有する。
【００２８】
発電制御装置６２０は、監視制御端末８６０から「実指令値」を受け取り、受け取った「実指令値」に従って、出力制御可能発電装置６１０の発電出力を制御する機能を有する。
【００２９】
よって、発電制御装置６２０は、ハードウエアシステム構成は図示しないが、出力制御可能発電装置６１０への接続端子およびケーブルと、制御装置と、インタフェースと、で構成される。
【００３０】
電力計測装置６８０は、出力制御可能発電装置６１０が発電する発電電力を計測する機能の他に、計測した出力制御可能発電装置６１０の発電電力を監視制御端末８６０に送信する機能を有する。
【００３１】
出力制御可能発電サイト６００の監視制御端末８６０のハードウエア構成図を図３に示す。この監視制御端末８６０は、制御装置８６１と、記憶装置８６２と、サイト間インタフェース８６３と、入力装置８６４と、表示装置８６５と、サイト内インタフェース８６６と、を有する。
【００３２】
サイト間インタフェース８６３は、通信線２００を介して、需給調整装置３００との情報通信を行う。
【００３３】
サイト内インタフェース８６６は、通信線２００を介して、電力計測装置６８０と、発電制御装置６２０と、の情報通信を行う。
【００３４】
制御装置８６１は、電力計測装置６８０から出力制御可能発電装置６１０の発電電力の計測値を、サイト内インタフェース８６６を介して受信し、これを一定時間保存している。また、制御装置８６１は、需給調整装置３００から「発電電力送信指示」を、サイト間インタフェース８６３を介して受信すると、予め決められた時間分まとめた出力制御可能発電装置６１０の発電電力の計測値の時系列データを作成する。制御装置８６１は、作成した出力制御可能発電装置６１０の発電電力の計測値の時系列データを、需給調整装置３００に、サイト間インタフェース８６３を介して送信する。
【００３５】
また、制御装置８６１は、サイト間インタフェース８６３を介して、需給調整装置３００から出力制御可能発電サイト指示情報８０００（図１５）の時系列データを受信する。
【００３６】
制御装置８６１は、受信した出力制御可能発電サイト指示情報８０００（図１５）の時系列データに基づいて、「実指令値」を作成する。また、制御装置８６１は、作成した「実指令値」を、発電制御装置６２０にサイト内インタフェース８６６を介して送信する。
【００３７】
[需要家サイト４００]
需要家サイト４００は、需要負荷４１０による負荷量（需要電力）を計測する電力計測装置４８０と、監視制御端末８４０と、を有する。
【００３８】
需要家サイト４００の監視制御端末８４０のハードウエア構成図を図４に示す。この監視制御端末８４０は、制御装置８４１と、記憶装置８４２と、サイト間インタフェース８４３と、入力装置８４４と、表示装置８４５と、サイト内インタフェース８４６と、を有する。
【００３９】
サイト間インタフェース８４３は、通信線２００を介して、需給調整装置３００との情報通信を行う。
【００４０】
サイト内インタフェース８４６は通信線２００を介して、電力計測装置４８０との情報通信を行う。
【００４１】
制御装置８４１は、電力計測装置４８０から需要家サイト４００の需要電力の計測値を、サイト内インタフェース８４６を介して受信し、これを一定時間保存している。また、制御装置８４１は、需給調整装置３００から「需要電力計測値送信指示」を、サイト間インタフェース８４３を介して受信すると、予め決められた時間分まとめた需要電力の計測値の時系列データを作成する。制御装置８４１は、作成した需要電力の計測値の時系列データを、需給調整装置３００に、サイト間インタフェース８４３を介して送信する。
【００４２】
[需給調整装置３００]
次に、本実施形態の電力供給システムの需給調整装置３００について説明する。図５に需給調整装置３００のハードウエア構成の一例を示す。
【００４３】
需給調整装置３００は、例えば、図５に示すような、ＣＰＵ３１０と、ＲＡＭなどの主記憶装置３２０と、例えばハードディスクドライブなどの補助記憶装置３４０と、キーボードやマウスなどの入力装置３３０と、ディスプレイなどの出力装置３５０と、電力供給システムの各サイトとの通信を行うサイト間インタフェース３６０と、を備えたコンピュータにより実現される。
【００４４】
補助記憶装置３４０には、自然エネルギー発電サイト５００および出力制御可能発電サイト６００の運転条件が格納されている運転条件データベース３４１（以下、「運転条件ＤＢ３４１」と称す）と、需要家サイト４００の需要電力計測値と需要電力予測値とが格納されている需要電力データベース３４２（以下、「需要電力ＤＢ３４２」と称す）と、自然エネルギー発電サイト５００における気象状況の計測値と気象状況の予測値とが格納されている気象情報データベース（以下、「気象情報ＤＢ３４３」と称す）と、自然エネルギー発電装置５１０の発電電力予測値を格納している発電予測情報データベース３４４（以下、「発電予測情報ＤＢ３４４」と称す）と、自然エネルギー発電サイト５００に設置された２次電池５５０の蓄電量の予測値が格納された蓄電量予測情報ＤＢ３４５（以下、「蓄電量予測情報ＤＢ３４５」と称す）と、自然エネルギー発電サイト５００の運転実績を格納する自然エネルギー発電サイト運転実績データベース３４６（以下、「自然エネルギー発電サイト運転実績ＤＢ３４６」と称す）と、出力制御可能発電サイト６００の運転実績を格納する出力制御可能発電サイト運転実績データベース３４７（以下、「出力制御可能発電サイト運転実績ＤＢ３４７」と称す）と、ＣＰＵ３１０が実行するプログラム３４８が格納されている。
【００４５】
本実施形態では、ＣＰＵ３１０が補助記憶装置３４０に記憶されているプログラム３４８を主記憶装置３２０にロードして実行される。図５には、プログラム３４８がＣＰＵ３１０と共同して構築される具体的な手段である機能を示している。すなわち、ＣＰＵ３１０は、自然エネルギー発電サイト５００および出力制御可能発電サイト６００の運転条件を管理する運転条件管理部３１１と、需要家サイト４００での需要電力を予測する需要電力予測部３１２と、自然エネルギー発電サイト５００における気象情報を予測する気象情報予測部３１３と、自然エネルギー発電サイト５００および出力制御可能発電サイト６００の運転実績を管理する運転実績管理部３１４と、自然エネルギー発電サイト５００に設置された２次電池５５０の蓄電量を管理する蓄電量管理部３１５と、自然エネルギー発電装置５１０の発電電力を予測し出力制御可能発電サイト６００への指示情報を作成する発電電力管理部３１６と、とを有する。
【００４６】
次に、補助記憶装置３４０に格納されている、各データベースについて説明する。
【００４７】
運転条件ＤＢ３４１には、図６に示すように、自然エネルギー発電サイト５００の運転条件を記憶した自然エネルギー発電サイト運転条件３４１Ａと、出力制御可能発電サイト６００の運転条件を記憶した出力制御可能発電サイト運転条件３４１Ｂと、が格納されている。
【００４８】
自然エネルギー発電サイト運転条件３４１Ａは、自然エネルギー発電装置５１０の運転制約を示す自然エネルギー発電装置運転制約情報３４１０Ａと、自然エネルギー発電サイト５００に設置されている２次電池５５０の蓄電量の閾値を示す蓄電量閾値情報３４１０Ｂと、図７に示すような、発電装置ごとの、風速と自然エネルギー発電装置５１０の発電電力との関係を示す風速―発電電力特性関数３４１０Ｃと、が記憶されている。
【００４９】
自然エネルギー発電装置運転条件制約情報３４１０Ａは、発電装置が設置されているサイト名を登録するフィールド３４１１Ａ、発電装置名を登録するフィールド３４１２Ａと、発電装置の発電出力の上限値を登録するフィールド３４１３Ａと、発電装置の発電出力の下限値を登録するフィールド３４１４Ａと、発電装置のメンテナンス等のイベントを登録するフィールド３４１５Ａと、発電装置の運転状態を登録するフィールド３４１６Ａと、を有する。そして、各フィールドに登録している情報は対応付けられて、１つのレコード３４１７Ａに格納されている。
【００５０】
また、蓄電量閾値情報３４１０Ｂは、２次電池５５０が設置されているサイト名を登録するフィールド３４１１Ｂと、２次電池名を登録するフィールド３４１２Ｂと、２次電池５５０の蓄電量の閾値を登録するフィールド３４１３Ｂと、を有する。そして、各フィールドに登録している情報は対応付けられて、１つのレコード３４１４Ｂに格納されている。
【００５１】
一方、出力制御可能発電サイト運転条件３４１Ｂは、出力制御可能発電装置６１０の運転制約を示す出力制御可能発電装置運転制約情報３４１０Ｄが記憶されている。
【００５２】
出力制御可能発電装置運転制約情報３４１０Ｄは、自然エネルギー発電装置運転条件制約情報３４１０Ａと同様のデータ構造を有する。
【００５３】
需要電力ＤＢ３４２には、図８に示すように、需要家サイト４００のサイト名４０００ごとに、需要電力の計測値を示す需要電力計測値情報３４２０Ａと、需要電力の予測値を示す需要電力予測値情報３４２０Ｂと、が格納されている。
【００５４】
需要電力計測値情報３４２０Ａは、計測時刻を登録するフィールド３４２１Ａと、需要電力の計測値を登録するフィールド３４２２Ａと、を有する。そして、各フィールドに登録している情報は対応付けられて、１つのレコード３４２３Ａに格納されている。
【００５５】
また、需要電力予測値情報３４２０Ｂは、時刻を登録するフィールド３４２１Ｂと、需要電力の予測値を登録するフィールド３４２２Ｂと、を有する。そして、各フィールドに登録している情報は対応付けられて、１つのレコード３４２３Ｂに格納されている。
【００５６】
気象情報ＤＢ３４３には、図９に示すように、自然エネルギー発電サイトのサイト名５０００ごとに、気象情報の計測値を示す気象情報計測値情報３４３０Ａと、気象情報の予測値を示す気象情報予測値情報３４３０Ｂと、が格納されている。
【００５７】
気象情報計測値情報３４３０Ａは、計測時刻を登録するフィールド３４３１Ａと、気温の計測値を登録するフィールド３４３２Ａと、湿度の計測値を登録するフィールド３４３３Ａと、気圧の計測値を登録するフィールド３４３４Ａと、風速の計測値を登録するフィールド３４３５Ａと、を有する。そして、各フィールドに登録している情報は対応付けられて、１つのレコード３４３６Ａに格納されている。
【００５８】
また、気象情報予測値情報３４３０Ｂは、時刻を登録するフィールド３４３１Ｂと、風速の予測値を登録するフィールド３４３２Ｂと、を有する。そして、各フィールドに登録している情報は対応付けられて、１つのレコード３４３３Ｂに格納されている。
【００５９】
発電予測情報ＤＢ３４４には、図１０に示すように、自然エネルギー発電サイトのサイト名５０００ごとに、自然エネルギー発電装置５１０の発電電力の予測値を示す発電電力予測値情報３４４０が格納されている。
【００６０】
発電電力予測値情報３４４０は、時刻を登録するフィールド３４４１と、自然エネルギー発電装置５１０の発電電力の予測値を登録するフィールド３４４２と、需要電力の予測値と自然エネルギー発電装置の発電電力の予測値との差（つまり、需給差）を登録するフィールド３４４３と、を有する。そして、各フィールドに登録している情報は対応付けられて、１つのレコード３４４４に格納されている。
【００６１】
蓄電量予測情報ＤＢ３４５には、図１１のように、自然エネルギー発電サイトのサイト名５０００ごとに、２次電池５５０の蓄電量の予測値を示す蓄電量予測値情報３４５０が格納されている。
【００６２】
蓄電量予測値情報３４５０は、時刻を登録するフィールド３４５１と、２次電池５５０の蓄電量の予測値を登録するフィールド３４５２と、２次電池の蓄電量の予測値と閾値との差を登録するフィールド３４５３と、を有する。そして、各フィールドに登録している情報は対応付けられて、１つのレコード３４５４に格納されている。
【００６３】
自然エネルギー発電サイト運転実績ＤＢ３４６には、図１２のように、自然エネルギー発電サイトのサイト名５０００ごとに、自然エネルギー発電装置名を登録するフィールド５１００と、２次電池名を登録するフィールド５５００と、自然エネルギー発電サイト５００の運転実績を示す自然エネルギー発電サイト運転実績情報３４６０と、格納されている。
【００６４】
自然エネルギー発電サイト運転実績情報３４６０は、計測時刻を登録するフィールド３４６１と、自然エネルギー発電装置５１０が発電した発電電力の計測値を登録するフィールド３４６２と、２次電池５５０に対する電力の入出力量を登録するフィールド３４６３と、２次電池５５０の蓄電量を登録するフィールド３４６４と、を有する。そして、各フィールドに登録している情報は対応付けられて、１つのレコード３４６５に格納されている。
【００６５】
出力制御可能発電サイト運転実績ＤＢ３４６には、図１３に示すように、出力制御可能発電サイトのサイト名６０００ごとに、出力制御可能発電装置名を登録するフィールド６１００と、出力制御可能発電サイト６００の運転実績を示す出力制御可能発電サイト運転実績情報３４７０と、が格納されている。
【００６６】
出力制御可能発電サイト運転実績情報３４７０は、計測時刻を登録するフィールド３４７１と、出力制御可能発電装置６１０が発電した発電電力の計測値を登録するフィールド３４７２と、を有する。そして、各フィールドに登録している情報は対応付けられて、１つのレコード３４７３に格納されている。
【００６７】
次に、本実施形態の電力供給システムの動作について、図１６、図１７に示すシーケンス図に従って説明する。
【００６８】
まず、需給調整装置３００の管理者が、各サイトに設置される発電装置の運転条件および自然エネルギー発電サイトに設置された２次電池５５０の閾値を、需給調整装置３００に設定する（Ｓ１）。
【００６９】
具体的には、まず、需給調整装置３００の運転条件管理部３１１は、入力装置３３０を介して、自然エネルギー発電装置５１０運転制約情報の入力を管理者から受け付ける。つまり、自然エネルギー発電装置５１０が設置されているサイト名と、自然エネルギー発電装置名と、当該発電装置の発電電力の上限値および下限値と、メンテナンスなどのイベント情報と、自然エネルギー発電装置の運転状態と、を受け付ける。そして、運転条件管理部３１１は、受け付けた運転制約情報を対応付けて、１つのレコードを作成し、運転条件ＤＢ３４１の自然エネルギー発電装置運転制約情報３４１０Ａに格納する。
【００７０】
また、運転条件管理部３１１は、入力装置３３０を介して、２次電池５５０の蓄電量の閾値情報の入力を管理者から受け付ける。つまり、２次電池５５０が設置されている自然エネルギー発電サイト名と、２次電池名と、当該２次電池５５０の蓄電量の閾値と、を受け付ける。そして、受け付けた蓄電量の閾値情報を対応付けてレコードを作成し、作成したレコードを運転条件ＤＢ３４１の蓄電量閾値情報３４１０Ｂに格納する。
【００７１】
そして、運転条件管理部３１１は、入力装置３３０を介して、出力制限可能発電装置６１０運転制約情報の入力を管理者から受け付ける。つまり、出力制限可能発電装置６１０が設置されているサイト名と、出力制限可能発電装置名と、当該発電装置の発電電力の上限値および下限値と、メンテナンスなどのイベント情報と、出力制限可能発電装置の運転状態と、を受け付ける。そして、運転条件管理部３１１は、受け付けた運転制約情報を対応付けて、１つのレコードを作成し、運転条件ＤＢ３４１の出力制限可能発電装置運転制約情報３４１０Ｄに格納する。
【００７２】
次に、需給調整装置３００の運転実績管理部３１４は、制御更新時刻になると、自然エネルギー発電サイト５００に「発電電力計測値送信指示」および「２次電池入出力量・蓄電量計測値送信指示」を、サイト間インタフェース３６０を介して送信する（Ｓ２）。
【００７３】
自然エネルギー発電サイト５００の監視制御端末８５０は、需給調整装置３００から「発電電力計測値送信指示」および「２次電池入出力量・蓄電量計測値送信指示」を、サイト間インタフェース８５３を介して受信すると、予め決められた時間分（例えば、１０分間分）の、自然エネルギー発電装置５１０の発電電力の計測値の時系列データと、２次電池５５０に対する電力の入出力量の計測値の時系列データと、２次電池５５０の蓄電量の計測値の時系列データと、をサイト間インタフェース８５３を介して、需給調整装置３００に送信する（Ｓ３）。
【００７４】
次に、需給調整装置３００の運転実績管理部３１４は、自然エネルギー発電サイト５００から発電電力の計測値の時系列データと、２次電池に対する電力の入出力量の計測値の時系列データと、２次電池の蓄電量の計測値の時系列データと、を、サイト間インタフェース３６０を介して受信する（Ｓ４）。
【００７５】
なお、運転実績管理部３１４は、自然エネルギー発電サイト５００から２次電池５５０に対する電力の入出力量の計測値の時系列データを受信し、受信した２次電池５５０に対する電力の入出力量の計測値の時系列データから２次電池５５０の蓄電量の計測値の時系列データを作成してもよい。
【００７６】
そして、運転実績管理部３１４は、受信した各時系列データに基づいて、計測時刻と、自然エネルギー発電装置５１０の発電電力計測値と、２次電池５５０に対する電力の入出力量の計測値と、２次電池５５０の蓄電量の計測値と、を対応付けたレコードを作成し、作成したレコードを自然エネルギー発電サイト運転実績ＤＢ３４６の自然エネルギー発電サイト運転実績情報３４６０に格納する。
【００７７】
続いて、需給調整装置３００の需要電力予測部３１２は、制御更新時刻になると、需要家サイト３００に「需要電力計測値送信指示」を、サイト間インタフェース３６０を介して送信する（Ｓ５）。
【００７８】
需要家サイト４００の監視制御端末８４０は、需給調整装置３００から「需要電力計測値送信指示」を、サイト間インタフェース８４３を介して受信すると、予め決められた時間分（例えば１０分間分）まとめた需要電力の計測値の時系列データを、需給調整装置３００に、サイト間インタフェース８４３を介して送信する（Ｓ６）。
【００７９】
次に、需給調整装置３００の需要電力予測部３１２は、需要家サイト３００から需要電力の計測値の時系列データを、サイト間インタフェース３６０を介して受信する（Ｓ７）。そして、受信した需要電力の計測値の時系列データに基づいて、計測時刻と、需要電力の計測値と、を対応つけてレコードを作成し、作成したレコードを需要電力ＤＢ３４２の需要電力計測値情報３４２０Ａに格納する。
【００８０】
続いて、需要電力予測部３１２は、受信した需要電力の計測値の時系列データから所定時間後の需要電力を予測する（Ｓ８）。以下、需要電力予測部３１２の所定時間後の需要電力の予測方法を説明する。
【００８１】
本実施形態では、需要電力予測部３１２による所定時間後の需要電力の予測は、移動平均法を用いて行う。具体的には、需要電力予測部３１２は、まず受信した需要電力の計測値の時系列データから需要電力の計測値を所定の個数分取り出し、取り出した需要電力の計測値の平均値を算出する。このとき、需要電力予測部３１２は、需要電力の計測値の時系列データから取り出す需要電力の計測値を時系列に沿って所定の個数分シフトさせ、需要電力の計測値の平均値を複数個算出する。次に、需要電力予測部３１２は、算出した複数個の需要電力の計測値の平均値から移動平均線を求める。そして、需要電力予測部３１２は、求めた移動平均線に基づいて、所定時間後の需要電力を算出する。
【００８２】
そして、需要電力予測部３１２は、時刻と、予測した需要電力の予測値と、を対応付けたレコードを作成し、作成したレコードを需要電力ＤＢ３４２の需要電力予測値情報３４２０Ｂに格納する。
【００８３】
なお、需要家サイト４００の所定時間後の需要電力の予測は、移動平均法以外の方法でもよい。
【００８４】
次に、需給調整装置３００の気象情報予測部３１３は、制御更新時刻になると、自然エネルギー発電サイト５００に「気象情報送信指示」を、サイト間インタフェース３６０を介して送信する（Ｓ９）。
【００８５】
自然エネルギー発電サイト５００の監視制御端末８５０は、需給調整装置３００から「気象情報送信指示」をサイト間インタフェース８５３を介して受信すると、予め決められた時間分（例えば、１０分間分）の気象情報の時系列データを、サイト間インタフェース８５３を介して、需給調整装置３００に送信する（Ｓ１０）。
【００８６】
次に、需給調整装置３００の気象情報予測部３１３は、自然エネルギー発電サイト５００から気象情報の時系列データを、サイト間インタフェース３６０を介して受信する（Ｓ１１）。そして、気象情報予測部３１３は、受信した気象情報の時系列データに基づいて、計測時刻と、気温の計測値と、湿度の計測値と、気圧の計測値と、風速の計測値と、を対応付けてレコードを作成し、作成したレコードを気象情報ＤＢ３４３の気象情報計測値情報３４３０Ａに格納する。
【００８７】
続いて、気象情報予測部３１３は、受信した気象情報の時系列データから所定時間後気象情報を予測する（Ｓ１２）。以下、気象情報予測部３１３の所定時間後の気象情報の予測方法を説明する。
【００８８】
本実施形態では、気象情報予測部３１３による所定時間後の気象情報の予測は、図１４に示すような入力層９１０と、中間層９２０と、出力層９３０と、を有するニューラル・ネットワークモデルを用いて行う。
【００８９】
まず、気象情報予測部３１３は、入力層９１０に、受信した気象情報の時系列データを入力データとして入力する。具体的には、気象情報予測部３１３は、受信した気象情報の時系列データに含まれる、各時刻の気温の計測値９４１と、各時刻の湿度の計測値９４２と、各時刻の気圧の計測値９４３と、各時刻の風速の計測値９４４と、を入力層９１０のノードに入力する。
【００９０】
次に、気象情報予測部３１３は、入力層９１０の各ノードに入力された入力データを中間層９２０のノードへ入力させ、中間層９２０のノードへ入力させたデータを出力層９３０のノードへと入力させる。
【００９１】
そして、気象情報予測部３１３は、出力層９３０から出力された出力データ９４５を所定時間後の気象情報として取り出す。
【００９２】
ここで、入力層９１０のノードから出力されたデータを中間層９２０のノードに入力させる際、および、中間層９２０のノードから出力されたデータを出力層９３０のノードに入力させる際には、データに結合荷重を乗じさせる。本実施形態おいて、気象情報予測部３１３が所定時間後の気象情報を予測する際の結合荷重は、予め過去の気象情報を用いて学習させ決定したものを用いる。
【００９３】
具体的には、出力層９３０から出力された出力データ９４５と、当該出力データ９４５に含まれる時刻に対応する過去の気象情報に含まれる計測値と、を比較し、それら誤差を修正することを繰り返すことで学習させ決定した結合荷重を用いる。
【００９４】
第１実施形態では、気象情報予測部３１３は、所定時間後の風速を予測する。つまり、出力層９３０から出力された出力データ９４５と、当該出力データに含まれる時刻に対応する過去の風速の計測値と、を比較し、それら誤差を修正することを繰り返すことで学習させ決定した結合荷重を、第１実施形態では用いる。この場合、気象情報予測部３１３は、出力層９３０から出力された出力データ９４５を所定時間後の風速として取り出す。
【００９５】
そして、気象情報予測部３１３は、時刻と予測した気象情報の予測値とを、対応付けててレコードを作成し、作成したレコードを気象情報ＤＢ３４３の気象情報予測値情報３４３０Ｂに格納する。
【００９６】
なお、自然エネルギー発電サイト５００の所定時間後の気象情報の予測は、以上に述べた方法以外の方法でもよい。
【００９７】
次に、需給調整装置３００の蓄電量管理部３１５は、受信した２次電池５５０の蓄電量の計測値の時系列データから所定時間後の蓄電量を予測する（Ｓ１３）。以下、蓄電量管理部３１５の所定時間後の蓄電量の予測方法を説明する。
【００９８】
本実施形態では、蓄電量予測部３１５の所定時間後の蓄電量の予測は、移動平均法を用いて行う。
【００９９】
具体的には、蓄電量予測部３１５は、まず受信した２次電池５５０の蓄電量の計測値の時系列データから蓄電量の計測値を所定の個数分取り出し、取り出した蓄電量の計測値の平均値を算出する。このとき、蓄電量予測部３１５は、蓄電量の計測値の時系列データから取り出す蓄電量の計測値を時系列に沿って所定の個数分シフトさせ、蓄電量の計測値の平均値を複数個算出する。次に、蓄電量予測部３１５は、算出した複数個の蓄電量の計測値の平均値から移動平均線を求める。そして、蓄電量予測部３１５は、求めた移動平均線に基づいて、所定時間後の蓄電量を算出する。
【０１００】
また、蓄電量予測部３１５は、２次電池５５０の蓄電量の予測値と、２次電池５５０の蓄電量閾値と、の差を求める。
【０１０１】
具体的には、蓄電量予測部３１５は、予測を行う２次電池の２次電池名に対応する二次電池の蓄電量閾値を、運転条件ＤＢ３４１の蓄電量閾値情報３４１０Ｂから読み出す。蓄電量予測部３１５は、予測した蓄電量の予測値と、読み出した蓄電量閾値と、の差を算出する。
【０１０２】
そして、蓄電量予測部３１５は、時刻と、予測した２次電池５５０の蓄電量の予測値と、２次電池５５０の蓄電量閾値との差と、を対応付けたレコードを作成し、作成したレコードを蓄電量予測値情報３４５０に格納する。
【０１０３】
なお、自然エネルギー発電サイト５００に設置された２次電池５５０の所定時間後の蓄電量の予測は、移動平均以外の方法でもよい。
【０１０４】
次に、需給調整装置３００の発電電力管理部３１６は、自然エネルギー発電装置５１０の所定時間後の発電電力を予測する（Ｓ１４）。
【０１０５】
具体的には、まず、発電電力管理部３１６は、発電電力の予測を行う自然エネルギー発電装置５１０に対応する風速―発電出力特性関数３４１０Ｃを運転条件ＤＢ３４１から読み出す。次に、発電電力管理部３１６は、読み出した風速―発電出力特性関数３４１０Ｃに、気象情報予測部３１３が予測した気象情報の予測値を入力し、自然エネルギー発電装置５１０の発電出力を算出する。
【０１０６】
また、発電電力管理部３１６は、需要電力の予測値に対する自然エネルギー発電装置５１０の発電電力の予測値の過不足分（需給差）を求める。
【０１０７】
具体的には、まず、発電電力管理部３１６は、自然エネルギー発電装置の発電電力予測値の時刻に対応する需要電力の予測値を、需要電力ＤＢ３４２の需要電力予測値情報３４２０Ｂから読み出す。次に、読み出した需要電力の予測値と、自然エネルギー発電装置５１０の発電電力の予測値と、の差を求めることで、需要電力に対する自然エネルギー発電装置の発電電力の予測値の過不足分（需給差）を求める。
【０１０８】
そして、発電電力管理部３１６は、時刻と、自然エネルギー発電装置５１０の発電電力の予測値と、需給差と、を対応させたレコードを作成し、作成したレコードを発電予測情報ＤＢ３４４の発電電力予測値情報３４４０に格納する。
【０１０９】
次に、発電電力管理部３１６は、出力制御可能発電サイト指示情報８０００（図１５）を作成する（Ｓ１５）。
【０１１０】
具体的には、まず、発電電力管理部３１６は、発電予測情報ＤＢ３４４の発電電力予測値情報３４４０から需要電力の予測値に対する自然エネルギー発電装置の発電電力の予測値の過不足分（需給差）を読み出す。また、発電電力管理部３１６は、蓄電量予測情報ＤＢ３４５の蓄電量予測値情報３４５０から２次電池５５０の蓄電量閾値との差を読み出す。
【０１１１】
次に、発電電力管理部３１６は、読み出した需要電力の予測値に対する自然エネルギー発電装置の発電予測値の過不足分（需給差）と、２次電池５５０の蓄電量閾値との差と、の加算値を求める。そして、発電電力管理部３１６は、時刻と、求めた当該加算値と、を対応付け１つのレコードを作成することで、出力制御可能発電サイト指示情報８０００を作成する。
【０１１２】
そして、発電電力管理部３１６は、作成した出力制御可能発電サイト指示情報８０００に基づいて、予め決められた時間分（例えば、１０分間分）の、出力制御可能発電サイト指示情報８０００の時系列データを作成し、これを出力制御可能発電サイト６００に、サイト間インタフェース３６０を介して送信する（Ｓ１６）。
【０１１３】
次に、出力制御可能発電サイト６００の監視制御端末８６０は、サイト間インタフェース８６３を介して、需給調整装置３００から出力制御可能発電サイト指示情報８０００の時系列データを受信する（Ｓ１７）。
【０１１４】
監視制御端末８６０は、受信した出力制御可能発電サイト指示情報８０００の時系列データに基づいて、「実指令値」を作成し、作成した「実指令値」を発電制御装置６２０にサイト内インタフェース８６６を介して送信する。そして、発電制御装置６２０は、監視制御端末８６０から「実指令値」を受け取り、受け取った「実指令値」に従って、出力制御可能発電装置の発電出力を制御する。
【０１１５】
なお、Ｓ２−Ｓ１７は、図１６、図１７の中では、１回しか描かれていないが、制御更新のタイミングごとに実行される。
【０１１６】
以上述べたように、本実施形態では、自然エネルギー発電サイトにおける気象状況を計測することで、自然エネルギー発電装置の発電電力の予測を正確に行うことができ、電力の需給調整を精度よく行うことができる。
【０１１７】
また、本実施形態では、各サイトは、データの送受信を予め決められた時間分まとめた時系列データ形式で行っている。これにより、各サイトにおける制御手段の制御間隔が長くとることができ、各サイトの各装置の制御負担を軽減することができる。
【０１１８】
さらに、一定の長さの制御間隔で制御値を算出することにより、計測値に含まれる急峻な変動を平均化できるため、算出された指令値が計測値に含まれる急峻な変動に追従することがなくなり、安定な制御が可能となる。
【０１１９】
「第２実施形態」
次に、本発明の第２実施形態について説明する。第１実施形態では、風力を自然エネルギーとする自然エネルギー発電装置が自然エネルギー発電サイト５００に設置されている場合について説明した。第２実施形態では、太陽光を自然エネルギーとする自然エネルギー発電装置が自然エネルギー発電サイト５００に設置されている場合について説明する。
【０１２０】
第２実施形態の電力供給システムの構成は、第１実施形態とほぼ同様であり、第１実施形態と異なる点についてのみ説明する。
【０１２１】
まず、第２実施形態では、図１８に示すように、運転条件ＤＢ３４１の自然エネルギー発電サイト運転条件３４１Ａには、風速―発電電力特性関数３４１０Ｃに代わって、図１９に示すような発電装置ごとの、時刻と自然エネルギー発電装置５１０の発電電力の理想値との関係を示す太陽光発電電力理想関数３４１０Ｅが記憶されている。
【０１２２】
また、第２実施形態では、図２０に示すように、気象情報ＤＢ３４３には、自然エネルギー発電サイト名５０００ごとに、気象情報の計測値を示す気象情報計測値情報３４３０Ｃと、日射透過率の算出値を示す日射透過率算出値情報３４３０Ｄと、日射透過率の予測値を示す日射透過率予測値情報３４３０Ｅと、が格納されている。
【０１２３】
気象情報計測値情報３４３０Ｃは、第１実施形態の気象情報計測値情報３４３０Ａと同様のデータ構造を有する。
【０１２４】
日射透過率算出値情報３４３０Ｄは、発電電力の計測時刻を登録するフィールド３４３１Ｄと、日射透過率の算出値を登録するフィールド３４３２Ｄと、を有する。そして、各フィールドに登録している情報は対応付けられて、１つのレコード３４３３Ｄに格納されている。
【０１２５】
日射透過率予測値情報３４３０Ｅは、時刻を登録するフィールド３４３１Ｅと、日射透過率の予測値を登録するフィールド３４３２Ｅと、を有する。そして、各フィールドに登録している情報は対応付けられて、１つのレコード３４３３Ｅに格納されている。
【０１２６】
次に、第２実施形態における電力供給システムの動作について、図２１、図２２に示すシーケンス図を用いて説明する。
【０１２７】
図２１、図２２に示した第２実施形態におけるＳ１ａ―Ｓ１１ａ、Ｓ１３ａ、Ｓ１５ａ―Ｓ１７ａは、それぞれ、第１実施形態におけるＳ１Ｓ１１、Ｓ１３、Ｓ１５−Ｓ１７（図１６、図１７）と同様である。
【０１２８】
第２実施形態のＳ１２ａでは、気象情報予測部３１３は、受信した気象情報の時系列データと、受信した自然エネルギー発電装置の発電電力の計測値の時系列データと、から所定時間後の日射透過率を予測する。以下、気象情報予測部３１３の所定時間後の日射透過率の予測方法を説明する。
【０１２９】
まず、気象情報予測部３１３は、受信した自然エネルギー発電装置５１０の発電電力の計測値の時系列データから、当該時系列データに含まれる計測時刻に対応する日射透過率を算出する。
【０１３０】
具体的には、気象情報予測部３１３は、発電電力の計測が行われた自然エネルギー発電装置５１０に対応する太陽光発電電力理想関数３４１０Ｅを運転条件ＤＢ３４１から読み出す。次に、自然エネルギー発電装置５１０発電電力の時系列データに含まれる計測時刻を、読み出した太陽光発電電力理想関数３４１０Ｅに入力し、計測時刻における自然エネルギー発電装置５１０の発電電力の理想値を求める。そして、自然エネルギー発電装置５１０の発電電力の計測値と、自然エネルギー発電装置５１０の発電電力の理想値と、の比率を求めることで、日射透過率を算出する。そして、気象情報予測部３１３は、発電電力の計測時刻と、日射透過率の算出値と、を対応づけて１つのレコードを作成し、気象情報ＤＢ３４３の日射透過率算出値情報３４３Ｄに格納する。
【０１３１】
次に、気象情報予測部３１３は、受信した気象情報の時系列データと、日射透過率の算出値と、から所定時間後の日射透過率を予測する。
【０１３２】
第２実施形態では、気象情報予測部３１３による所定時間後の日射透過率の予測は、第１実施形態と同様に図２３に示すような入力層９１０と、中間層９２０と、出力層９３０と、を有するニューラル・ネットワークモデルを用いて行う。
【０１３３】
気象情報予測部３１３は、入力層９１０に、受信した気象情報の時系列データと、日射透過率の算出値を入力データとして入力する。具体的には、気象情報予測部３１３は、受信した気象情報の時系列データに含まれる、各時刻の気温の計測値９４１と、各時刻の湿度の計測値９４２と、各時刻の気圧の計測値９４３と、各時刻の日射透過率の算出値９４６と、を入力層９１０のノードに入力する。
【０１３４】
次に、気象情報予測部３１３は、入力層９１０の各ノードに入力された入力データを中間層９２０のノードへ入力させ、中間層９２０のノードへ入力させたデータを出力層９３０のノードへと入力させる。
【０１３５】
そして、気象情報予測部３１３は、出力層９３０から出力された出力データ９４７を所定時間後の日射透過率として取り出す。
【０１３６】
ここで、入力層９１０のノードから出力されたデータを中間層９２０のノードに入力させる際、および、中間層９２０のノードから出力されたデータを出力層９３０のノードに入力させる際には、データに結合荷重を乗じさせる。第２実施形態おいても、第１実施形態と同様に、気象情報予測部３１３が所定時間後の日射透過率を予測する際の結合荷重は、予め過去の自然エネルギー発電装置５１０の発電電力の計測値から算出した日射透過率の算出値を用いて学習させ決定したものを用いる。
【０１３７】
具体的には、出力層９３０から出力された出力データと、当該出力データに含まれる時刻に対応する過去の日射透過率の算出値と、を比較し、それら誤差を修正することを繰り返すことで学習させ決定した結合荷重を用いる。
【０１３８】
そして、気象情報予測部３１３は、時刻と予測した日射透過率の予測値とを、対応付けてれレコードを作成し、作成したレコードを気象情報ＤＢ３４３の気象情報予測値情報３４３０Ｅに格納する。
【０１３９】
なお、自然エネルギー発電サイト５００の所定時間後の日射透過率の予測は、以上に述べた方法以外の方法でもよい。
【０１４０】
また、第２実施形態のＳ１４ａでは、発電電力管理部３１６は、自然エネルギー発電装置５１０の所定時間後の発電電力を予測する。
【０１４１】
具体的には、発電電力管理部３１６は、読み出した太陽光発電電力理想関数３４１０Ｅに予測を行う時刻を入力し、当該時刻における自然エネルギー発電装置５１０の発電電力の理想値を算出する。そして、発電電力管理部３１６は、自然エネルギー発電装置５１０の発電電力の理想値に日射透過率の予測値を乗じたものを求めることで、自然エネルギー発電装置５１０の発電出力の予測値を算出する。
【０１４２】
また、発電電力管理部３１６は、需要電力の予測値に対する自然エネルギー発電装置５１０の発電電力予測値の過不足分（需給差）を求める。
【０１４３】
具体的には、まず、発電電力管理部３１６は、自然エネルギー発電装置５１０の発電電力予測値の時刻に対応する需要電力の予測値を、需要電力ＤＢ３４２の需要電力予測値情報３４２０Ｂから読み出す。次に、読み出した需要電力の予測値と、自然エネルギー発電装置５１０の発電電力の予測値と、の差を求めることで、需要電力に対する自然エネルギー発電装置の発電電力の過不足分（需給差）を求める。
【０１４４】
そして、発電電力管理部３１６は、時刻と、自然エネルギー発電装置５１０の発電電力の予測値と、需給差と、を対応させたレコードを作成し、作成したレコードを発電予測情報ＤＢ３４４の発電電力予測値情報３４４０に格納する。
【０１４５】
なお、第２実施形態においても、第１実施形態と同様の効果を得ることができる。
【図面の簡単な説明】
【０１４６】
【図１】第１実施形態の電力供給システムの全体構成図である。
【図２】自然エネルギー発電サイトの監視制御端末の構成図である。
【図３】出力制御可能発電サイトの監視制御端末の構成図である。
【図４】需要家サイトの監視制御端末の構成図である。
【図５】需要調整装置の構成図である。
【図６】需要調整装置の運転条件ＤＢのデータ構造を示す図である。
【図７】風力―発電電力特性関数を説明する図である。
【図８】需要調整装置の需要電力ＤＢのデータ構造を示す図である。
【図９】需要調整装置の気象情報ＤＢのデータ構造を示す図である。
【図１０】需要調整装置の発電予測情報ＤＢのデータ構造を示す図である。
【図１１】需要調整装置の蓄電量予測情報ＤＢのデータ構造を示す図である。
【図１２】需要調整装置の自然エネルギー発電サイト運転実績ＤＢのデータ構造を示す図である。
【図１３】需要調整装置の出力制御可能発電サイト運転実績ＤＢのデータ構造を示す図である。
【図１４】気象情報を予測する方法を説明する説明図である。
【図１５】出力制御可能発電サイト指示情報のデータ構造を示す図である。
【図１６】第１実施形態の電力供給システムの動作を示すシーケンス図（その１）である。
【図１７】第１実施形態の電力供給システムの動作を示すシーケンス図（その２）である。
【図１８】第２実施形態の需要調整装置の運転条件ＤＢのデータ構造を示す図である。
【図１９】太陽光発電電力理想関数を説明する図である。
【図２０】第２実施形態の需要調整装置の気象情報ＤＢのデータ構造を示す図である。
【図２１】第２実施形態の電力供給システムの動作を示すシーケンス図（その１）である。
【図２２】第２実施形態の電力供給システムの動作を示すシーケンス図（その２）である。
【図２３】日射透過率を予測する方法を説明する説明図である。
【符号の説明】
【０１４７】
３００：需給調整装置、３１０：ＣＰＵ、３１１：運転条件管理部、３１２：需要電力予測部、３１３：気象情報予測部、３１４：運転実績管理部、３１５：蓄電量管理部、３１６：発電電力管理部、３２０：主記憶装置、３３０：入力装置、３５０：出力装置、３６０：サイト間インタフェース、３４０：補助記憶装置、３４１：運転条件ＤＢ、３４２：需要電力ＤＢ、３４３：気象情報ＤＢ、３４４：発電予測情報ＤＢ、３４５：蓄電量予測情報ＤＢ、３４６：自然エネルギー発電サイト運転実績ＤＢ、３４７：出力制御可能発電サイト運転実績ＤＢ、３４８：プログラム、４００：需要家サイト、４１０：需要負荷、５００：自然エネルギー発電サイト、５１０：自然エネルギー発電装置、５２０：変換装置、５５０：２次電池、５６０：電池出力変換装置、５７０：気象状況計測装置、６００：出力制御可能発電サイト、６１０：出力制御可能発電装置、６２０：発電制御装置、１００：送配電線、２００：通信線、５８０、６８０、４８０：電力計測装置、８５０、８６０、８４０：監視制御端末、８５１、８６１、８４１：制御装置、８５２、８６２、８４２：記憶装置、８５３、８６３、８４３：サイト間インタフェース、８５４、８６４、８４４：入力装置、８５５、８６５、８４５：表示装置、８５６、８６６、８４６：サイト内インタフェース
【図１】
2010130762.tif 000003
【図２】
2010130762.tif 000004
【図３】
2010130762.tif 000005
【図４】
2010130762.tif 000006
【図５】
2010130762.tif 000007
【図６】
2010130762.tif 000008
【図７】
2010130762.tif 000009
【図８】
2010130762.tif 000010
【図９】
2010130762.tif 000011
【図１０】
2010130762.tif 000012
【図１１】
2010130762.tif 000013
【図１２】
2010130762.tif 000014
【図１３】
2010130762.tif 000015
【図１４】
2010130762.tif 000016
【図１５】
2010130762.tif 000017
【図１６】
2010130762.tif 000018
【図１７】
2010130762.tif 000019
【図１８】
2010130762.tif 000020
【図１９】
2010130762.tif 000021
【図２０】
2010130762.tif 000022
【図２１】
2010130762.tif 000023
【図２２】
2010130762.tif 000024
【図２３】
2010130762.tif 000025